【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
省電力をなすワイヤレス通信デバイスであって、
プログラミングを備える記憶媒体と、
前記記憶媒体に動作可能に結合されている処理回路と、を備え、前記処理回路は、
スロット・アイドル・モードで動作することと、
再取得期間に関わる最初の持続時間で開始することと、
再取得手順が失敗となるまで、各成功した再取得手順の後に所定の値だけ前記再取得期間に関わる前記最初の持続時間を付加的に低減することと、
前記失敗の再取得手順に応答して、前記再取得期間に関わる最適化された持続時間を得るために、前記所定の値だけ前記失敗の再取得手順に関連した持続時間を増大させることと、
最後に成功した再取得手順に関連した持続時間を、前記再取得期間に関わる前記最適化された持続時間であると決定することと、
によって、先行する再取得手順の間の再取得の成功に基づいて再取得期間に関わる１つまたは複数の最適化された持続時間を決定することと
を行うように前記プログラミングを実行するように適合されている、デバイス。
【請求項２】
前記再取得期間に関わる前記持続時間は、前記再取得期間に関わる時間の長さを備え、前記処理回路は、最適化された時間の長さが得られるまで前記再取得期間に関わる前記時間の長さを系統的に調整するようにさらに適合されている、請求項１に記載のデバイス。
【請求項３】
前記処理回路は、前記最適化された時間の長さが得られるまで、所定の量だけ前記時間の長さを系統的に低減することによって、前記時間の長さを系統的に調整するようにさらに適合されている、請求項２に記載のデバイス。
【請求項４】
前記再取得期間に関わる前記最適化された時間の長さは、前記再取得期間に関わるデフォルトの時間の長さより短い、請求項２に記載のデバイス。
【請求項５】
前記再取得期間に関わる前記持続時間は、各再取得手順に関わる前記記憶媒体に記憶されている疑似ランダム・ノイズ（ＰＮ）信号およびＰＮ位置の数に対応し、前記処理回路は、ＰＮ信号およびＰＮ位置の最適化された数が得られるまで各再取得手順に関わる前記記憶媒体に記憶されているＰＮ信号およびＰＮ位置の前記数を系統的に低減するようにさらに適合されている、請求項１に記載のデバイス。
【請求項６】
通信インターフェースと、
記憶媒体と、
前記記憶媒体および前記通信インターフェースに結合されている処理回路とを備え、前記処理回路は、
再取得期間に関わるデフォルトの持続時間を得ることと、
再取得手順が失敗となるまで、各成功した再取得手順の後に所定の値だけ前記再取得期間に関わる前記デフォルトの持続時間を付加的に低減することと、
前記失敗の再取得手順に応答して、前記再取得期間に関わる最適化された持続時間を決定するために、前記所定の値だけ前記失敗の再取得手順に関連した持続時間を増大させることと、
最後に成功した再取得手順に関連した持続時間を、前記再取得期間に関わる前記最適化された持続時間であると決定することと、
前記再取得期間に関わる前記最適化された持続時間を使用して再取得手順を実施することと
によって、先行する再取得手順の間の再取得の成功に基づいて再取得期間に関わる最適化された持続時間を決定すること
を行うように適合されている、アクセス端末。
【請求項７】
前記再取得期間に関わる前記最適化された持続時間は、前記デフォルトの持続時間より短い、請求項６に記載のアクセス端末。
【請求項８】
前記再取得期間に関わる前記デフォルトの持続時間は、前記通信インターフェースを介して受信される送信から得られる、請求項６に記載のアクセス端末。
【請求項９】
前記処理回路は、再決定のタイマーの満了の後に、前記再取得期間に関わる別の最適化された持続時間に関わる別の決定を開始するようにさらに適合されている、請求項６に記載のアクセス端末。
【請求項１０】
アクセス端末において動作可能な方法であって、
スロット・アイドル・モードで動作することと、
再取得期間に関わる最初の持続時間で開始することと、
再取得手順が失敗となるまで、各成功した再取得手順の後に所定の値だけ前記再取得期間に関わる前記最初の持続時間を付加的に低減することと、
前記失敗の再取得手順に応答して、前記再取得期間に関わる最適化された持続時間を決定するために、前記所定の値だけ前記失敗の再取得手順に関連した持続時間を増大させることと、
最後に成功した再取得手順に関連した持続時間を、前記再取得期間に関わる前記最適化された持続時間であると決定することと、
によって、先行する再取得手順の間の再取得の成功に基づいて再取得期間に関わる最適化された持続時間を決定すること
を備える、方法。
【請求項１１】
前記再取得期間に関して用いられるデフォルトの時間の長さを示す情報を含む送信を受信すること
をさらに備え、ここにおいて、前記デフォルトの時間の長さは、前記最適化された時間の長さより長い、請求項１０に記載の方法。
【請求項１２】
前記再取得期間に関わる前記最適化された持続時間を前記決定することは、次の再取得手順における使用のために記憶するための、疑似ランダム・ノイズ（ＰＮ）信号およびＰＮ位置の最適化された数を決定することを備える、請求項１０に記載の方法。
【請求項１３】
前記再取得期間に関わる前記最適化された持続時間を用いる再取得手順を実施することをさらに備える、請求項１０に記載の方法。
【請求項１４】
スロット・アイドル・モードで動作するための手段と、
先行する再取得手順の間の再取得の成功に基づいて再取得手順に関わる１つ以上の最適化されたパラメータを決定するための手段と、を備え、
ここにおいて、前記再取得手順に関わる１つ以上の最適化されたパラメータを決定するための前記手段は、
再取得期間に関わる最初の持続時間で開始することと、
再取得手順が失敗となるまで、各成功した再取得手順の後に所定の値だけ前記再取得期間に関わる前記最初の持続時間を付加的に低減することと、
前記失敗の再取得手順に応答して、前記再取得期間に関わる最適化された持続時間を得るために、前記所定の値だけ前記失敗の再取得手順に関連した持続時間を増大させることと、
最後に成功した再取得手順に関連した持続時間を、前記再取得期間に関わる前記最適化された持続時間であると決定することと、
によって、前記再取得期間に関わる最適化された持続時間を決定すること
を行うように構成される、アクセス端末。
【請求項１５】
前記再取得手順に関わる１つ以上のパラメータの前記決定は、再取得期間に関わる最適化された時間の長さの決定を備える、請求項１４に記載のアクセス端末。
【請求項１６】
前記再取得期間に関して用いられるデフォルトの時間の長さを示す情報を含む送信を受信するための手段をさらに備え、ここにおいて、前記デフォルトの時間の長さは、前記最適化された時間の長さより長い、請求項１５に記載のアクセス端末。
【請求項１７】
前記再取得手順に関わる１つ以上のパラメータの前記決定は、次の再取得手順における使用のために記憶するための、疑似ランダム・ノイズ（ＰＮ）信号およびＰＮ位置の最適化された数の決定を備える、請求項１４に記載のアクセス端末。
【請求項１８】
前記再取得手順に関わる前記１つ以上の最適化されたパラメータを用いるための手段をさらに備える、請求項１４に記載のアクセス端末。
【請求項１９】
スロット・アイドル・モードで動作することと、
再取得期間に関わる最初の持続時間で開始することと、
再取得手順が失敗となるまで、各成功した再取得手順の後に所定の値だけ前記再取得期間に関わる前記最初の持続時間を付加的に低減することと、
前記失敗の再取得手順に応答して、前記再取得期間に関わる最適化された持続時間を決定するために、前記所定の値だけ前記失敗の再取得手順に関連した持続時間を増大させることと、
最後に成功した再取得手順に関連した持続時間を、前記再取得期間に関わる前記最適化された持続時間であると決定することと、
によって、先行する再取得手順の間の再取得の成功に基づいて再取得期間に関わる最適化された持続時間を決定すること
をコンピュータに行わせるためのプログラミングを備える、非一時的コンピュータ可読記憶媒体。
【請求項２０】
前記再取得期間に関わる前記最適化された持続時間を決定することを前記コンピュータに行わせるための前記プログラミングは、
次の再取得手順における使用のために記憶するための、疑似ランダム・ノイズ（ＰＮ）信号およびＰＮ位置の最適化された数を決定することを、前記コンピュータに行わせるためのプログラミングを備える、請求項１９に記載の非一時的コンピュータ可読記憶媒体。
【請求項２１】
前記コンピュータに、
前記再取得期間に関わる前記最適化された持続時間を用いる再取得手順を実施すること
を行わせるためのプログラミングをさらに備える、請求項１９に記載の非一時的コンピュータ可読記憶媒体。
【請求項２２】
スロット・モードで動作するアクセス端末において動作可能なワイヤレス通信の方法であって、
前記再取得期間に関わるデフォルトの持続時間を得ることと、
再取得手順が失敗となるまで、各成功した再取得手順の後に所定の値だけ前記再取得期間に関わる前記デフォルトの持続時間を付加的に低減することと、
前記失敗の再取得手順に応答して、前記再取得期間に関わる前記最適化された持続時間を決定するために、前記所定の値だけ前記失敗の再取得手順に関連した持続時間を増大させることと、
最後に成功した再取得手順に関連した持続時間を、前記再取得期間に関わる前記最適化された持続時間であると決定することと、
前記再取得期間に前記最適化された持続時間を使用して再取得手順を実施することと
によって、先行する再取得手順の間の再取得の成功に基づいて再取得期間に関わる最適化された持続時間を決定すること
を備える方法。
【請求項２３】
ワイヤレス通信のために構成されているコンポーネントを備える通信システムにおいて、
再取得期間に関わるデフォルトの持続時間を得るように構成された再取得モジュールと、
再取得手順が失敗となるまで、各成功した再取得手順の後に所定の値だけ前記再取得期間の前記デフォルトの持続時間を付加的に低減することと、
前記失敗の再取得手順に応答して、前記再取得期間に関わる最適化された持続時間を決定するために、前記所定の値だけ前記失敗の再取得手順に関連した持続時間を増大させることと、
最後に成功した再取得手順に関連した持続時間を、前記再取得期間に関わる前記最適化された持続時間であると決定することと、
前記再取得期間に関わる前記最適化された持続時間を使用して再取得手順を実施することと
によって、先行する再取得手順の間の再取得の成功に基づいて前記再取得期間に関わる最適化された持続時間を決定すること
を行うように構成されているプロセッサと
を備える通信デバイス。